(57)【要約】【課題】段差部での排水性に優れた浴槽を提供する。【解決手段】浴槽１は、底部２と、底部２よりも高い位置に頂面４が配置された段差部３と、を備える。段差部３は、頂面４に、頂面４内に配置された始端６ｅ１から段差部３の底部側端縁３ｅに向かって延びると共に当該段差部３の底部側端縁３ｅで末端６ｅ２が開放される溝部６を有する。【選択図】図２
2017213276.tif 000002
【特許請求の範囲】
【請求項１】
底部と、
前記底部よりも高い位置に頂面が配置される段差部と、を備え、
前記段差部は、前記頂面に、前記頂面内に配置された始端から前記段差部の前記底部側の端縁に向かって延びると共に当該段差部の前記底部側の端縁で末端が開放される溝部を有する、浴槽。
【請求項２】
前記段差部は、前記頂面に、前記段差部の前記底部側の端縁に向かうに従って上方に傾斜する傾斜面を有しており、
前記溝部は、前記傾斜面に形成されている、請求項１に記載の浴槽。
【請求項３】
前記段差部は、前記頂面に、少なくとも１つの窪みを有し、
前記傾斜面は、前記窪みの最下部を取り囲む前記窪みの環状側面の一部である、請求項２に記載の浴槽。
【請求項４】
前記溝部の前記始端は、前記段差部の前記頂面の前記最下部の位置又は前記段差部の前記頂面の前記最下部よりも前記段差部の前記底部側の端縁から遠い位置にある、請求項３に記載の浴槽。
【請求項５】
前記溝部の溝幅は、前記溝部の前記始端から前記末端に向かうに従って漸増している、請求項１乃至４のいずれか１項に記載の浴槽。
【請求項６】
前記溝部の前記溝底部は、前記溝部の前記始端から前記末端に向かうに従って下方に傾斜している、請求項１乃至５のいずれか１項に記載の浴槽。
【発明の詳細な説明】
【技術分野】
【０００１】
本発明は、浴槽に関する。
【背景技術】
【０００２】
従来の浴槽には、底部（底面）と、前記底部よりも高い位置に頂面（座面）全体が配置された段差部（腰掛け部）と、を備え、平面視で、前記段差部の端縁を除いた前記頂面の周囲に、当該頂面を取り囲む周壁部に沿って延びるコの字形の溝部（排水溝）が形成された浴槽がある（例えば、特許文献１参照。）。
【先行技術文献】
【特許文献】
【０００３】
【特許文献１】特開２００５−２７０４０５号公報
【発明の概要】
【発明が解決しようとする課題】
【０００４】
しかしながら、上述した従来の浴槽では、前記溝部が段差部の頂面を通ることなく当該頂面を迂回するため、段差部の頂面に残った水が排水されるまでの距離が長い。言い換えれば、上述した従来の浴槽では、浴槽の水抜きを行ったとき、段差部の頂面での水引きに要する時間が比較的長い。従って、上述した従来の浴槽は、排水性の点で改善の余地がある。
【０００５】
本発明の目的は、段差部での排水性に優れた浴槽を提供することである。
【課題を解決するための手段】
【０００６】
本発明に係る浴槽は、底部と、前記底部よりも高い位置に頂面が配置される段差部と、を備え、前記段差部は、前記頂面に、前記頂面内に配置された始端から前記段差部の前記底部側の端縁に向かって延びると共に当該段差部の前記底部側の端縁で末端が開放される溝部を有する。
本発明に係る浴槽は、段差部での排水性に優れる。
【０００７】
本発明に係る浴槽では、前記段差部は、前記頂面に、前記段差部の前記底部側の端縁に向かうに従って上方に傾斜する傾斜面を有しており、前記溝部は、前記傾斜面に形成することができる。
この場合、段差部の頂面での座り心地と段差部での排水性との両立を図ることができる。
【０００８】
本発明に係る浴槽では、前記段差部は、前記頂面に、少なくとも１つの窪みを有し、前記傾斜面は、前記窪みの最下部を取り囲む前記窪みの環状側面の一部とすることができる。
この場合、段差部の頂面での座り心地を向上させることができる。
【０００９】
本発明に係る浴槽では、前記溝部の前記始端は、前記段差部の前記頂面の前記最下部の位置又は前記段差部の前記頂面の前記最下部よりも前記段差部の前記底部側の端縁から遠い位置にあることが好ましい。
この場合、より段差部での排水性を向上させることができる。
【００１０】
本発明に係る浴槽では、前記溝部の溝幅は、前記溝部の前記始端から前記末端に向かうに従って漸増しているものとすることができる。
この場合、より段差部での排水性を向上させることができる。
【００１１】
本発明に係る浴槽では、前記溝部の前記溝底部は、前記溝部の前記始端から前記末端に向かうに従って下方に傾斜しているものとすることができる。
この場合、水引きの速度が向上するため、より段差部での排水性を向上させることができる。
【発明の効果】
【００１２】
本発明によれば、段差部での排水性に優れた浴槽を提供することができる。
【図面の簡単な説明】
【００１３】
【図１】本発明の一実施形態に係る浴槽を示す平面図である。
【図２】図１の浴槽を、その長手方向の一方から示す斜視図である。
【図３】図１の浴槽を、その短手方向の一方から示す斜視図である。
【図４】図１の一部拡大図である。
【図５】図１の浴槽のＡ−Ａ断面図である。
【図６】図１の浴槽のＣ−Ｃ断面を破線で示すＢ−Ｂ断面図である。
【図７】図１の浴槽のＤ−Ｄ断面図である。
【発明を実施するための形態】
【００１４】
以下、図面を参照して、本発明の一実施形態に係る浴槽を説明する。
【００１５】
図１〜３は、本発明の一実施形態に係る浴槽１を示す。本実施形態では、浴槽１の外観形状は、図１の平面視で、全体が長方形状である。以下、浴槽１の長辺方向を「長手方向」、また、浴槽１の短辺方向を「短手方向」ともいう。本実施形態では、浴槽１は、例えば、繊維強化プラスチック（ＦＲＰ）を用いて一体に成形されている。
【００１６】
符号２は、浴槽１の底を形成する底部である。底部２には、例えば、使用者が足を伸ばして置くことができる。符号３は、底部２よりも高い位置に頂面４の全体が配置された段差部である。段差部３の頂面４は、使用者が腰を掛ける座面として使用することができる。符号５は、底部２及び段差部３を取り囲む周壁部である。周壁部５の内側には、湯水を溜めることができる。本実施形態では、段差部３は、浴槽１の長手方向の一方側に寄せて形成されている。詳細には、段差部３は、浴槽１の長手方向の一方側の周壁部５に繋がり、底部２側に面した頂面４の底部２側の端縁、即ち、段差部３の底部２側の端縁３ｅ（以下、「段差部３の底部側端縁３ｅ」ともいう。）が角部を形成している。段差部３の頂面４は、図１及び図４の平面視で、浴槽１の短手方向に延びる、略長方形状である。
【００１７】
符号６は、段差部３の頂面４に形成された溝部である。溝部６は、段差部３の頂面４内に配置された始端６ｅ１から段差部３の底部側端縁３ｅに向かって延びると共に段差部３の底部側端縁３ｅで末端６ｅ２が開放されている。図２や図５に示すように、本実施形態では、溝部６の末端６ｅ２は、段差部３の底部側端縁３ｅを切り欠いてなる。また、図５に示すように、本実施形態では、溝部６の溝底部６ａは、底部２よりも高い位置に配置されている。溝部６は、その末端６ｅ２の開放部を通して、段差部３の頂面４に溜まった水を段差部３の底部側端縁３ｅから底部２に流すことができる。なお、本実施形態では、段差部３の底部側端縁３ｅは面取りされている。また、溝底部６ａは、平面で構成される部分である場合と、線の位置で構成される部分である場合との両方の場合を含む。
【００１８】
本実施形態に係る浴槽１によれば、溝部６が段差部３の頂面４を迂回することなく、当該頂面４を通って段差部３の底部側端縁３ｅに通じる。これにより、本実施形態に係る浴槽１は、段差部３の頂面４での水引きに要する時間が短くて済むため、段差部３での排水性に優れる。また、本実施形態に係る浴槽１によれば、溝部６の長さが短くなるので、溝部６に水が残った場合でも、溝部６に残る水の量を少なくすることができる。
【００１９】
本実施形態に係る浴槽１では、溝部６は、図４の拡大図に示すように、平面視において、溝部６の溝幅ｗは、溝部６の始端６ｅ１から溝部６の末端６ｅ２（段差部３の底部側端縁３ｅ）に向かうに従って漸増している。この場合、段差部３の頂面４での水引きに要する時間がより短くて済み、より段差部３での排水性を向上させることができる。
【００２０】
本実施形態では、溝部６は、その溝幅ｗを、溝部６の始端６ｅ１から末端６ｅ２に向かうに従って均等な割合で漸増させている。この場合、図４の平面視のように、溝部６の２つの幅方向外縁６ｂの形状は、溝部６の末端６ｅ２（段差部３の底部側端縁３ｅ）に向かうに従って互いに遠ざかる直線形状となる。或いは、溝部６は、その溝幅ｗを、溝部６の始端６ｅ１から末端６ｅ２に向かうに従って不均等な割合で漸増させることもできる。例えば、溝幅ｗの増加量を溝部６の末端６ｅ２に向かうに従って大きくすれば、溝部６の２つの幅方向外縁６ｂの形状は、図１又は図４の平面視で、互いに向かい合う側（溝幅方向の内側）に向かって凸となる曲線形状となる。或いは、溝幅ｗの増加量を溝部６の始端６ｅ１から末端６ｅ２に向かうに従って小さくすれば、溝部６の２つの幅方向外縁６ｂの形状は、図１又は図４の平面視で、互いに向かい合う側と反対側（溝幅方向の外側）に向かって凸となる曲線形状となる。
【００２１】
なお、本実施形態に係る溝部６は、その溝幅ｗが溝部６の始端６ｅ１から末端６ｅ２に向かうに従って漸増するものに限定されない。例えば、溝部６の他の例には、その溝幅ｗが溝部６の延在方向（本実施形態では、浴槽１の長手方向）に沿って一定の幅であるものが含まれる。或いは、溝部６の更に他の例では、溝部６の溝幅ｗを、本実施形態に係る溝部６とは逆に、溝部６の始端６ｅ１から末端６ｅ２に向かうに従って漸減させることもできる。
【００２２】
また、図５で示すように、本実施形態に係る浴槽１では、溝部６の溝底部６ａは、段差部３の底部側端縁３ｅに向かうに従って下方に傾斜している。この場合、水引きの速度が向上するため、より段差部３での排水性を向上させることができる。
【００２３】
本実施形態では、溝部６の溝底部６ａを、溝部６の始端６ｅ１から末端６ｅ２に向かうに従って均等な割合で下方に傾斜させている。この場合、図５に示すように、溝部６の溝底部６ａの断面輪郭形状は、溝部６の始端６ｅ１から末端６ｅ２に向かう直線形状となる。或いは、溝部６の溝底部６ａは、溝部６の始端６ｅ１から末端６ｅ２に向かうに従って不均等な割合で下方に傾斜させることもできる。例えば、溝部６が下方に傾斜する割合を溝部６の始端６ｅ１から末端６ｅ２に向かうに従って大きくすれば、溝部６の溝底部６ａの断面輪郭形状は、上方に向かって凸となる曲線形状となる。或いは、溝部６が下方に傾斜する割合を溝部６の始端６ｅ１から末端６ｅ２に向かうに従って小さくすれば、溝部６の溝底部６ａの断面輪郭形状は、下方に向かって凸となる曲線形状となる。
【００２４】
なお、本実施形態に係る溝部６は、その溝底部６ａが溝部６の始端６ｅ１から末端６ｅ２に向かうに従って下方に傾斜するものに限定されない。例えば、溝部６の他の例には、その溝深さが溝部６の延在方向に沿って一定の深さであるものが含まれる。
【００２５】
ところで、図５で示すように、本実施形態に係る浴槽１では、段差部３は、頂面４に、段差部３の底部側端縁３ｅに向かうに従って上方に傾斜する傾斜面４ａを有しており、溝部６は、傾斜面４ａに形成されている。本実施形態では、溝部６は、段差部３の頂面４内に配置された始端６ｅ１から傾斜面４ａを凹ませて段差部３の底部側端縁３ｅに向かって延びると共に当該段差部３の底部側端縁３ｅで末端６ｅ２が開放されている。この場合、段差部３の頂面４の一部が段差部３の底部側端縁３ｅに向かうに従って上方に傾斜する傾斜面４ａであることから、段差部３の頂面４を座面として使用するとき、着座した人が段差部３の頂面４からずり落ち難くなる一方、排水性は、溝部３により確保される。これにより、段差部３の頂面４での座り心地と段差部３での排水性との両立を図ることができる。
【００２６】
本実施形態では、段差部３は、図４の平面視で、頂面４に、少なくとも１つの窪みＣを有し、傾斜面４ａは、窪みＣの内面の最も下側の部分（以下、「窪みＣの最下部」ともいう。）を取り囲む、前記窪みＣの環状側面の一部である。ここで、窪みＣの環状側面とは、窪みＣの最下部を取り囲む傾斜面であって、当該傾斜面が窪みＣの最下部を最下部となる傾斜面をいう。窪みＣの最下部は、平面で構成される部分である場合と、点の位置で構成される部分である場合との両方の場合を含む。本実施形態では、窪みＣは、すり鉢状の窪みである。ここで、「すり鉢状の窪み」とは、窪みの最下部から段差部３の鉛直方向上側に向かうに従って、窪みの横断面積が漸増しているものをいう。窪みＣの環状側面の断面輪郭形状には、窪みＣの外縁外側の段差部３の頂面４に向かうに従って、均等な割合で漸増しているもの、或いは、段差部３の頂面４に向かうに従って、不均等な割合で漸増しているもの、例えば、窪みＣの最下部から窪みＣの外縁外側の頂面４に向かうに従って傾斜角度が大きくなっていくものが含まれる。また、窪みＣの最下部は、窪みＣの中央に位置しているものは勿論、窪みＣの中央から偏心した位置に位置しているものも含む。この場合、段差部３の頂面４の形状が人の臀部の形状に沿った形状となるため、段差部３の頂面４での座り心地を向上させることができる。
【００２７】
本実施形態では、図５に示すように、浴槽１の長手方向において、段差部３の頂面４の断面輪郭形状は、下向きに凸の曲線形状である。詳細には、浴槽１の長手方向において、段差部３の頂面４の断面輪郭形状は、段差部３の頂面４の最も下側の部分（以下、「頂面４の最下部」ともいう。）をＰＯとし、当該頂面４の最下部ＰＯを通る垂線ＬＰ１上の点Ｏ１を基点に、曲率半径Ｒ１で描かれた形状である。即ち、本実施形態では、傾斜面４ａの断面輪郭形状は、浴槽１の長手方向において、曲率半径Ｒ１で描かれた形状である。また、本実施形態では、段差部３の底部側端縁３ｅは、浴槽１の長手方向において、曲率が設けられている。詳細には、浴槽１の長手方向において、段差部３の底部側端縁３ｅの断面輪郭形状は、曲率半径Ｒ２（例えば、Ｒ２＝２５mm）で描かれた形状である。本実施形態では、頂面４の最下部は、平面で構成される部分である場合と、点の位置で構成される部分である場合との両方の場合を含む。
【００２８】
更に、本実施形態では、浴槽１の長手方向に加えて、図６の破線に示すように、浴槽１の短手方向において、段差部３の頂面４の断面輪郭形状も、下向きに凸の曲線形状である。本実施形態では、図６の破線は、図１のＣ−Ｃ断面での、溝部６を除いた、段差部３の頂面４のみの仮想断面輪郭形状である。詳細には、浴槽１の短手方向において、段差部３の頂面４の断面輪郭形状は、図１のＣ−Ｃ断面を通る垂線ＬＰ１上の点Ｏ３を基点に、曲率半径Ｒ３で描かれた形状である。
【００２９】
また、図６の実線は、図１のＢ−Ｂ断面であり、溝部６の溝深さｄが最も深い位置での断面輪郭形状である。本実施形態では、図６に示すように、溝部６は、Ｕ字溝で形成されている。図６に示すように、浴槽１の短手方向において、溝部６の断面輪郭形状は、下向きに凸の曲線形状である。詳細には、浴槽１の短手方向において、溝部６の断面輪郭形状は、図１のＢ−Ｂ断面を通り、垂線ＬＰ１と浴槽１の長手方向に平行な垂線ＬＰ２上の点Ｏ４を基点に、曲率半径Ｒ４（例えば、Ｒ４＝３５mm）で描かれた形状である。また、本実施形態では、溝部６の幅方向外縁６ｂもそれぞれ、浴槽１の短手方向において、半径Ｒ５（例えば、Ｒ５＝１５mm）で曲率が設けられている。この場合、段差部３の頂面４に形成された溝部６の幅方向外縁６ｂに角の部分が無くなるため、段差部３の頂面４での座り心地をより向上させることができる。更に、この場合、段差部３の頂面４に形成された溝部６の幅方向外縁６ｂに角の部分が無くなることで、溝部６の清掃もし易くなるため、衛生面で有効である。本実施形態では、溝深さｄは、例えば、ｄ＝２１mmである。
【００３０】
更に、図５に示すように、浴槽１の長手方向において、段差部３の底部側端縁３ｅ側の、溝部６の末端６ｅ２には曲率が設けられている。詳細には、浴槽１の長手方向において、溝部６の末端６ｅ２の断面輪郭形状は、曲率半径Ｒ６（例えば、Ｒ６＝２５mm）で描かれた形状である。この場合も、溝部６の末端６ｅ２に角の部分が無くなるため、段差部３の頂面４での座り心地をより向上させることができる。更に、この場合も、溝部６の末端６ｅ２に角の部分が無くなることで、溝部６の清掃もし易くなるため、衛生面でも有効である。
【００３１】
更に、溝部６の始端６ｅ１は、段差部３の頂面４の最下部ＰＯの位置又は段差部３の頂面４の最下部ＰＯよりも段差部３の底部側端縁３ｅから遠い位置にあることが好ましい。
【００３２】
本実施形態では、図５に示すように、溝部６の始端６ｅ１は、浴槽１の長手方向において、段差部３の頂面４の最下部ＰＯよりも段差部３の底部側端縁３ｅから遠い位置にある。言い換えれば、溝部６の始端６ｅ１は、段差部３の底部側端縁３ｅから段差部３の頂面４の最下部ＰＯよりも浴槽１の長手方向側に遠ざかる位置に配置された周壁部５側の頂面４内の位置にある。
【００３３】
溝部６の始端６ｅ１を、段差部３の頂面４の最下部ＰＯの位置又は段差部３の頂面４の最下部ＰＯよりも段差部３の底部側端縁３ｅから遠い位置とすれば、溝部６は、その末端６ｅ２の開放部を通して、段差部３の頂面４に溜まった水を段差部３の底部側端縁３ｅからより確実に底部２に流すことができる。従って、より段差部３での排水性を向上させることができる。特に、本実施形態のように、溝部６の始端６ｅ１を、段差部３の頂面４の最下部ＰＯよりも段差部３の底部側端縁３ｅから遠い位置とすれば、段差部３の頂面４に溜まった水をより更に確実に底部２に流すことができ、より更に段差部３での排水性を向上させることができる。
【００３４】
なお、本実施形態では、段差部３の頂面４の最下部ＰＯは、溝部６が存在しないと仮定した場合の段差部３の頂面４の最下部としている。このため、本実施形態では、段差部３の頂面４の最下部ＰＯは、窪みＣの最下部と一致している。本実施形態では、溝部６の始端６ｅ１が、段差部３の頂面４の最下部ＰＯよりも段差部３の底部側端縁３ｅから遠い位置にあるため、実際の段差部３の頂面４の最下部ＰＯは、窪みＣの最下部よりも下側の溝部６の溝底部６ａとなる。これに対し、本実施形態の変形例として、溝部６の始端６ｅ１が、段差部３の頂面４の最下部ＰＯの位置にある場合には、実際の段差部３の頂面４の最下部ＰＯは、溝部６の始端６ｅ１の溝底部６ａ、即ち、窪みＣの最下部となる。
【００３５】
本実施形態では、段差部３の底部側端縁３ｅは、底部２の最も深い部分（以下、「底部２の最深部」ともいう。）から最も高い位置にある。本実施形態では、底部２の最深部（本実施形態では、底部２の排水口２aの位置）から段差部３の底部側端縁３ｅまでの高さｈmaxは、例えば、ｈmax＝１６０mmである。本実施形態では、底部２の最深部から頂面４の最下部ＰＯまでの高さｈminは、例えば、ｈmin＝１４５mmである。更に、本実施形態では、溝部６の溝底部６ａは、底部２の最深部から溝部６の末端６ｅ２までの高さｈ６が、例えば、ｈ６＝１３９mmである。また、図７に示すように、本実施形態では、底部２は、浴槽１の短手方向において、排水口２ａに向かって傾斜させている。これにより、底部２に溜まった水を排水口２ａから確実に流すことができる。但し、底部２は、浴槽１の短手方向において、水平にすることもできる。
【００３６】
段差部３の頂面４に形成した窪みＣは、段差部３の頂面４の、少なくとも１箇所の位置に設けることができる。例えば、窪みＣを、図１又は図４の平面視で、浴槽１の短手方向において、２箇所の位置に設ければ、段差部３の頂面４の形状が、より人の臀部の形状に沿った形状となるため、段差部３の頂面４での座り心地をより向上させることができる。この場合、２つの窪みＣが、例えば重なり合うことで、段差部３の頂面４の最下部ＰＯが１箇所となるときには、当該頂面４の最下部ＰＯを通る１つの溝部を溝部６とし、段差部３の頂面４には、１つの溝部６が形成されることになる。或いは、２つの窪みＣが、浴槽１の短手方向において、例えば重なり合わないときには、２つの窪みＣのそれぞれに段差部３の頂面４の最下部ＰＯが存在する。このように、複数の最下部ＰＯが存在するときには、それぞれの最下部ＰＯを通る１つの溝部を溝部６とし、段差部３の頂面４には、複数の溝部６が形成されることになる。
【００３７】
上述したところは、本発明の例示的な実施形態を開示したにすぎず、特許請求の範囲に従えば、様々な変更が可能となる。例えば、段差部３の頂面４は、窪みＣを形成することなく、段差部３の底部側端縁３ｅと長手方向反対側に配置された周壁部５から段差部３の底部側端縁３ｅに向かうに従って上方に傾斜する傾斜面とすることができる。或いは、段差部３の頂面４は、水平面や底部２に向かって下る傾斜の傾斜面とすることもできる。また、浴槽１は、本実施形態のように、図１又は図４の平面視で、周壁部５の輪郭形状が矩形又は楕円の形状に形作られたものに限定されない。また、浴槽１は、例えば、図１又は図４の平面視で、周壁部５の輪郭形状が円形の形状で形作られたものとすることができる。
【産業上の利用可能性】
【００３８】
本発明は、底部と、前記底部よりも高い位置に頂面全体が配置された段差部と、を備える、浴槽に利用することができる。
【符号の説明】
【００３９】
１；浴槽，  ２；底部，  ３；段差部，  ３ｅ；段差部の底部側端縁，  ４；頂面，  ４ａ；傾斜面，  ５；周壁部，  ６；溝部，  ６ａ；溝底部，  ６ｂ；溝部の幅方向外縁，  ６ｅ１；溝部の始端  ６ｅ２；溝部の末端，  Ｃ；窪み，  ＰＯ；段差部の頂面の最下部，  ｗ；溝幅
【図１】
2017213276.tif 000003
【図２】
2017213276.tif 000004
【図３】
2017213276.tif 000005
【図４】
2017213276.tif 000006
【図５】
2017213276.tif 000007
【図６】
2017213276.tif 000008
【図７】
2017213276.tif 000009